(57)【要約】【課題】ノイズ対策が不十分なケーブルから発生するノイズを後付けで抑制する。【解決手段】ケーブル用ノイズフィルター１は、柔軟性および絶縁性を有する樹脂１０と、磁性体粒子２０とが混合された成形体である。樹脂１０は、天然樹脂、合成樹脂またはシリコーン樹脂である。ノイズ対策が不十分なケーブルの外周にケーブル用ノイズフィルター１を後付けで巻き付けることにより、そのケーブルから発生するノイズを抑制することができる。【選択図】図１
2019114611.tif 000002
【特許請求の範囲】
【請求項１】
柔軟性および絶縁性を有する天然樹脂、合成樹脂またはシリコーン樹脂と、多数の磁性体粒子とが混合された成形体であって、ケーブルの外周に後付けで巻き付けることができることを特徴とするケーブル用ノイズフィルター。
【請求項２】
前記磁性体粒子が、表面に絶縁被膜が形成された強磁性体の微粒子であることを特徴とする請求項１に記載のケーブル用ノイズフィルター。
【請求項３】
前記強磁性体の微粒子が、鉄、ニッケル、コバルト、または絶縁性の低いフェライトの微粒子であることを特徴とする請求項２に記載のケーブル用ノイズフィルター。
【請求項４】
前記磁性体粒子が、絶縁性の高いフェライトの微粒子であることを特徴とする請求項１に記載のケーブル用ノイズフィルター。
【請求項５】
曲げられた形状を維持し、ケーブルにリング状に巻き付けることができることを特徴とする請求項１ないし４のいずれか１項に記載のケーブル用ノイズフィルター。
【請求項６】
力が加えられていないときにはリング状の弾性体であり、当該リングの一部が切断されており、切断された部分を押し広げることによってリングの中にケーブルを挿入することができることを特徴とする請求項１ないし４のいずれか１項に記載のケーブル用ノイズフィルター。
【請求項７】
粘着性のあるシリコーンテープであり、ケーブルに張り付けることができることを特徴とする請求項１ないし４のいずれか１項に記載のケーブル用ノイズフィルター。
【請求項８】
紐状または帯状であって、ケーブルにスパイラル状に巻き付けることができることを特徴とする請求項１ないし４のいずれか１項に記載のケーブル用ノイズフィルター。
【発明の詳細な説明】
【技術分野】
【０００１】
本発明は、ケーブルから生じるノイズを抑制するために用いられるケーブル用ノイズフィルターに関する。
【背景技術】
【０００２】
特許文献１は、芯線の外側に第１の絶縁層が形成されており、第１の絶縁層の外側に金属よりなるシールド層が形成されており、シールド層の外側に第２の絶縁層が形成されており、第２の絶縁層の外側の少なくとも一部の領域にアモルファス磁性体層が形成されており、アモルファス磁性体層の外側に絶縁性樹脂又ゴムからなる外層絶縁被覆層が形成されたシールド電線を開示する。
アモルファス磁性体層は、例えば、アモルファス磁性体テープをシールド電線の長さ方向に渡って巻回することにより構成される。そして、特許文献１には、アモルファス磁性体テープはアモルファス磁性体粉末とポリエステル等の合成樹脂とを混合して成形することにより得られること、およびアモルファス磁性体テープをシールド電線の一部において集中して多数回巻回することにより、シールド電線に密着したコモンモードチョークコイルを形成できることが記載されている。
【０００３】
特許文献２には、導体の周囲にスパイラル状に巻き付けて使用される電気ケーブル用ノイズ抑制帯が記載されている。この電気ケーブル用ノイズ抑制帯は、９０度曲げが可能なＣｏ基アモルファスからなり、少なくとも一方の面に可撓性を有する樹脂が接着された磁性薄帯である。これは、導体の周囲にスパイラル状に巻き付けて使用される。
【先行技術文献】
【特許文献】
【０００４】
【特許文献１】特開平６−２０３６５２号公報
【特許文献２】特開２０００−１３３９８２号公報
【発明の概要】
【発明が解決しようとする課題】
【０００５】
特許文献１に記載されているアモルファス磁性体テープは、シールド電線に一体的に組み込まれている。特許文献２に記載されている電気ケーブル用ノイズ抑制帯は、導体の周囲に巻き付けて使用されものであって、既に装置に取り付けられており、ノイズを発生しているケーブルに使用することは意図されていない。
【０００６】
本発明の目的は、ノイズ対策が不十分なケーブルから発生するノイズを後付けで抑制することができるケーブル用ノイズフィルターを提供することである。
【課題を解決するための手段】
【０００７】
上記目的を達成するために、本発明のケーブル用ノイズフィルターは、
柔軟性および絶縁性を有する天然樹脂、合成樹脂またはシリコーン樹脂と、多数の磁性体粒子とが混合された成形体であって、ケーブルの外周に後付けで巻き付けることができることを特徴とする。
【０００８】
好ましくは、本発明のケーブル用ノイズフィルターは、
前記磁性体粒子が、表面に絶縁被膜が形成された強磁性体の微粒子であることを特徴とする。
【０００９】
好ましくは、本発明のケーブル用ノイズフィルターは、
前記強磁性体の微粒子が、鉄、ニッケル、コバルト、または絶縁性の低いフェライトの微粒子であることを特徴とする。
【００１０】
好ましくは、本発明のケーブル用ノイズフィルターは、
前記磁性体粒子が、絶縁性の高いフェライトの微粒子であることを特徴とする。
【００１１】
好ましくは、本発明のケーブル用ノイズフィルターは、
曲げられた形状を維持し、ケーブルにリング状に巻き付けることができることを特徴とする。
【００１２】
好ましくは、本発明のケーブル用ノイズフィルターは、
力が加えられていないときにはリング状の弾性体であり、当該リングの一部が切断されており、切断された部分を押し広げることによってリングの中にケーブルを挿入することができることを特徴とする。
【００１３】
好ましくは、本発明のケーブル用ノイズフィルターは、
粘着性のあるシリコーンテープであり、ケーブルに張り付けることができることを特徴とする。
【００１４】
好ましくは、本発明のケーブル用ノイズフィルターは、
紐状または帯状であって、ケーブルにスパイラル状に巻き付けることができることを特徴とする。
【発明の効果】
【００１５】
本発明によれば、ノイズ対策が不十分なケーブルから発生するノイズを後付けで抑制することができる。
【図面の簡単な説明】
【００１６】
【図１】本発明の実施形態に係るケーブル用ノイズフィルターの構造の一例を示す断面図である。
【図２】図１のケーブル用ノイズフィルターの具体例である第１のケーブル用ノイズフィルターの一例を示す図である。図２（Ａ）は保管時における棒の形状を示す。図２（Ｂ）はケーブルにリング状に巻かれている状態を示す。
【図３】図１のケーブル用ノイズフィルターの具体例である第２のケーブル用ノイズフィルターの一例を示す図である。図３（Ａ）は保管時におけるリングの形状を示す。図３（Ｂ）は切断部分を押し広げた形状を示す。図３（Ｃ）は内側にケーブルが挿入されたリングの形状を示す。
【図４】図１のケーブル用ノイズフィルターの具体例である第３のケーブル用ノイズフィルターの一例を示す図である。
【図５】図１のケーブル用ノイズフィルターの具体例である第４のケーブル用ノイズフィルターの一例を示す図である。
【発明を実施するための形態】
【００１７】
以下、本発明の実施形態に係るケーブル用ノイズフィルターについて図面を参照しながら詳細に説明する。なお、実施形態を説明する全図において、共通の構成要素には同一の符号を付し、繰り返しの説明を省略する。
【００１８】
図１は、本発明の実施形態に係るケーブル用ノイズフィルター１の構造の一例を示す断面図である。
ケーブル用ノイズフィルター１は、柔軟性および絶縁性を有する樹脂１０と、多数の磁性体粒子２０とが混合された成形体である。ケーブル用ノイズフィルター１は、樹脂１０と多数の磁性体粒子２０とを混合して成形することにより、製造される。樹脂１０は、例えば天然樹脂、合成樹脂またはシリコーン樹脂である。
【００１９】
渦電流損が少なくなるため、磁性体粒子２０は微粒子であることが望ましい。
樹脂１０が絶縁性を有するため、磁性体粒子２０は必ずしも絶縁性を有していなくてもよい。しかし、製造過程で複数の磁性体粒子２０に接触が生じるおそれがある。このため、磁性体粒子２０は、例えば表面に絶縁被膜が形成された強磁性体の微粒子であることが望ましい。磁性体粒子２０の製造に使用される強磁性体は、鉄、ニッケル、コバルト、絶縁性の低いフェライト等である。または、磁性体粒子２０は、例えば絶縁性の高いフェライトの微粒子であることが望ましい。
【００２０】
ケーブル用ノイズフィルター１は、ケーブルの外周に巻き付けて使用される。ケーブルは、１本でもよいし、絶縁性の層で被覆された複数のケーブルがまとめられたものであってもよい。
ノイズ対策が不十分なケーブルが装置に取り付けられているとき、そのケーブルからノイズが発生する場合がある。このような場合、そのケーブルにケーブル用ノイズフィルター１を後付けで巻き付けることにより、ノイズを抑制することができる。
【００２１】
図２は、図１のケーブル用ノイズフィルター１の具体例である第１のケーブル用ノイズフィルター２を示す。
図２（Ａ）に示すように、保管されているとき、ケーブル用ノイズフィルター２は棒状である。その断面の形状は四角形、六角形、円形等である。ケーブル用ノイズフィルター２は、曲げ可能であり、ある形状に曲げられるとその形状を保つ。ケーブル用ノイズノイズフィルター２は、図２（Ｂ）に示すように、一端と他端が重なるようにケーブル３０の外周にリング状に巻き付けることができる。ケーブル用ノイズフィルター２は、一旦ケーブル３０にリング状に巻き付けられると、その形状を維持する。
【００２２】
図３は、図１のケーブル用ノイズフィルター１の具体例である第２のケーブル用ノイズフィルター３を示す。
図３（Ａ）に示すように、ケーブル用ノイズフィルター３は弾性体であって、力を加えられていないときはリング状である。その断面の形状は四角形、六角形、円形等である。ケーブル用ノイズフィルター３はリングの所定の場所が切断されており、切断された部分において一端と他端が重なっている。図３（Ｂ）の矢印の方向に力を加えて外側に引っ張ることによって切断された部分を押し広げることができる。切断された部分を押し広げてリングの中にケーブル３０を挿入した後に力を無くすと、図３（Ｃ）に示すように、ケーブル用ノイズフィルター３はリングの中にケーブル３０が挿入された状態で元のリング状に戻る。
なお、ケーブル用ノイズフィルター３は、リングの中にケーブル３０が挿入された状態において、切断された部分において一端と他端が重なっているのではなく、切断された部分において隙間を有していてもよい。
【００２３】
図４は、図１のケーブル用ノイズフィルター１の具体例である第３のケーブル用ノイズフィルター４を示す。
ケーブル用ノイズフィルター４はシリコーンテープである。ケーブル用ノイズフィルター４は、数ミリ程度の所定の厚さを有する。ケーブル用ノイズフィルター４は、粘着性を有している。図４に示すように、ケーブル用ノイズフィルター４は、ケーブル３０の外周に張り付けて使用される。
【００２４】
図５は、図１のケーブル用ノイズフィルター１の具体例である第４のケーブル用ノイズフィルター５を示す。
ケーブル用ノイズフィルター５は、所定の太さを有する紐状または所定の厚さを有する帯状である。図５に示すように、ケーブル用ノイズフィルター５はケーブル３０の外周にスパイラル状に巻き付けて使用される。ケーブル用ノイズフィルター５は、ケーブル３０の全長に渡って巻き付けてもよいし、所定の部分だけに巻き付けてもよい
【００２５】
以上説明したように、本発明によれば、ノイズ対策が不十分なケーブルから発生するノイズを後付けで抑制することができる。例えば、複数のケーブルが１つにまとめられたケーブルに本発明のケーブル用ノイズフィルターを巻き付けることでコモンモードノイズを抑制することができる。また、本発明のケーブル用ノイズフィルターをケーブルに巻き付けることで巻き付けられた部分において磁気を遮蔽することができる。
【００２６】
以上、本発明の実施形態について説明したが、設計または製造上の都合やその他の要因によって必要となる様々な修正や組み合わせは、請求項に記載されている発明や発明の実施形態に記載されている具体例に対応する発明の範囲に含まれる。
【符号の説明】
【００２７】
１，２，３，４，５…ケーブル用ノイズフィルター、１０…樹脂、２０…磁性体粒子、３０…ケーブル
【図１】
2019114611.tif 000003
【図２】
2019114611.tif 000004
【図３】
2019114611.tif 000005
【図４】
2019114611.tif 000006
【図５】
2019114611.tif 000007